(57)【要約】【課題】床下に配置された排水管の入口部の位置に依らず、部材の一部を共通化させた排水ソケットを提供することを目的とする。【解決手段】屈曲管部材６３は、排水ソケット５０Ａ，Ｄにおいては、その出口部６３ｂが水平方向に向けて開口した状態となる第１接続状態となるように下降管部材６１に接続可能であり、排水ソケット５０Ｂ，Ｃにおいては、その出口部６３ｂが鉛直方向下方に向けて開口した状態となる第２接続状態となるように下降管部材６１に接続可能である。【選択図】図３
2019049184.tif 000002
【特許請求の範囲】
【請求項１】
水洗大便器の便器本体の排出口と便器本体内の下方領域の床に設けられた床下排水管の入口部とを連結する排水ソケットであって、
上記便器本体の排出口に接続される便器側接続管部材と、
この便器側接続管部材の出口部と上記床下排水管の入口部とを接続する床下側接続管部材と、を備えており、
上記便器側接続管部材は、鉛直方向下方に延びてその出口部が斜め下方に向けて開口する下降管部材と、上記下降管部材の出口部に接続されて屈曲する屈曲管部材と、を有し、
上記屈曲管部材は、その出口部が水平方向に向けて開口した状態となる第１接続状態、もしくは、その出口部が鉛直方向下方に向けて開口した状態となる第２接続状態のいずれかの状態で上記下降管部材に接続可能である排水ソケット。
【請求項２】
上記屈曲管部材は、その屈曲角度が３０〜６０度である請求項１に記載の排水ソケット。
【請求項３】
上記床下側接続管部材は、上記屈曲管部材が上記第１接続状態であるとき、上記屈曲管部材の出口部に接続される横引管部材と、上記横引管部材の出口部と上記床下排水管の入口部とを接続する排出管部材と、を有し、
上記横引管部材は、その長さが調節可能である請求項１又は２に記載の排水ソケット。
【請求項４】
上記下降管部材は、自身の外周面において上下方向に延びるリブを有し、
上記リブは、上方から荷重が掛かったときに上記屈曲管部材の少なくとも一部に当接する請求項１乃至３のいずれか１項に記載の排水ソケット。
【発明の詳細な説明】
【技術分野】
【０００１】
本発明は、排水ソケットに係り、特に、水洗大便器の便器本体の排出口と床下に設けられた床下排水管の入口部とを連結する排水ソケットに関する。
【背景技術】
【０００２】
一般的に、水洗大便器の便器本体の排出口とトイレ室内の床下に設けられた床下排水管の入口部とを接続する排水ソケットが知られている。
【０００３】
床下の排水管の入口部の位置は建物毎に決まった位置にあるため、水洗大便器を新しいものに交換してリフォームを行う際、リフォームに採用する便器本体の排出口の配置を変更するような便器の設計変更を行ったり、トイレ室床下の排水管の配置を変更したりするような配管工事を行ったりしなければならず、これらのリフォームに関する作業は非常に手間やコストがかかるという問題があった。
【０００４】
そこで、上述した特許文献１に記載されている排水ソケットは、水洗大便器の便器本体の排出口とトイレ室内の床下に設けられた床下排水管の入口部とを連結するリフォーム用の排水ソケットを採用することにより、トイレ室内のリフォームを行う際に、便器本体の設計変更を行ったり、床下排水管の配置を変更したりすることなく、便器の取り換えを容易に行うことができるようになっている。
具体的には、特許文献１に記載されている排水ソケットは、上流側から下流側の順に、排出側接続管、連結管、排水側接続管がそれぞれ接続されており、便器本体の排出口と排水管の入口部との相対位置に応じて連結管を切断して長さを調整することにより、さまざまな施工現場に対応させることができる。
【先行技術文献】
【特許文献】
【０００５】
【特許文献１】特開平８−４９２８１号公報
【発明の概要】
【発明が解決しようとする課題】
【０００６】
しかしながら、施工現場によっては、トイレ室の床下の排水管の入口部が便器本体の排出口のほぼ真下に位置する場合もあり、そういった場合には、特許文献１のように連結管を必要としないこともある。この場合、特許文献１とは全く異なる排水ソケットを準備しなければならなかった。
特に、排水配管の入口部は、水洗大便器が施工されている状態においては便器本体の外郭を形成する袴に隠蔽されているため、水洗大便器を新しいものに交換するときに、現場に設置されている便器本体を外すことで初めて排水配管の入口部の位置が確認されることとなる。そのため、施工者は、どちらのパターンにも対応できるように、予め多くの種類の排水ソケットを用意しておく必要があった。
【０００７】
本発明は、上述した問題を解決するためになされたものであり、床下に配置された排水管の入口部の位置に依らず、部材の一部を共通化させた排水ソケットを提供することを目的とする。
【課題を解決するための手段】
【０００８】
本発明の一態様に係る排水ソケットは、水洗大便器の便器本体の排出口と便器本体内の下方領域の床に設けられた床下排水管の入口部とを連結する排水ソケットであって、上記便器本体の排出口に接続される便器側接続管部材と、この便器側接続管部材の出口部と上記床下排水管の入口部とを接続する床下側接続管部材と、を備えており、上記便器側接続管部材は、鉛直方向下方に延びてその出口部が斜め下方に向けて開口する下降管部材と、上記下降管部材の出口部に接続されて屈曲する屈曲管部材と、を有し、上記屈曲管部材は、その出口部が水平方向に向けて開口した状態となる第１接続状態、もしくは、その出口部が鉛直方向下方に向けて開口した状態となる第２接続状態のいずれかの状態で上記下降管部材に接続可能である。
【０００９】
この構成によれば、屈曲管部材は、その出口部が水平方向に向けて開口した状態となる第１接続状態、もしくは、その出口部が鉛直方向下方に向けて開口した状態となる第２接続状態のいずれかの状態で下降管部材に接続可能であるため、対応可能な排水心がそれぞれ異なる排水ソケットにおいて、排水ソケットを構成する部材の一部である便器側接続管部材を共通化させることができる。
【００１０】
本発明の一態様に係る排水ソケットにおいて、好ましくは、上記屈曲管部材は、その屈曲角度が３０〜６０度である。
【００１１】
この構成によれば、対応可能な排水心がそれぞれ異なる排水ソケットにおいて、屈曲角度が３０〜６０度である屈曲管部材を含め、排水ソケットを構成する部材の一部である便器側接続管部材を共通化させることができる。
【００１２】
本発明の一態様に係る排水ソケットにおいて、好ましくは、上記床下側接続管部材は、上記屈曲管部材が上記第１接続状態であるとき、上記屈曲管部材の出口部に接続される横引管部材と、上記横引管部材の出口部と上記床下排水管の入口部とを接続する排出管部材と、を有し、上記横引管部材は、その長さが調節可能である。
【００１３】
この構成によれば、横引管部材の長さを調整することで、排水ソケットを様々な排水心の現場に対応させることができる。
【００１４】
本発明の一態様に係る排水ソケットにおいて、好ましくは、上記下降管部材は、自身の外周面において上下方向に延びるリブを有し、上記リブは、上方から荷重が掛かったときに上記屈曲管部材の少なくとも一部に当接する。
【００１５】
この構成によれば、下降管部材と屈曲管部材との接続部のガタつきが生じてしまうのを抑制することができるとともに、排水ソケットの破損が生じてしまうことを抑制することができる。
【発明の効果】
【００１６】
本発明の排水ソケットによれば、床下に配置された排水管の入口部の位置に依らず、部材の一部を共通化させることができる。
【図面の簡単な説明】
【００１７】
【図１】本発明の一実施形態による排水ソケットが適用された水洗大便器を示す平面図である。
【図２】図１のII−II線に沿って見た断面図である。
【図３】本発明の一実施形態による排水ソケットＡの接続状態を示す図である。
【図４】本発明の一実施形態による排水ソケットＢの接続状態を示す図である。
【図５】本発明の一実施形態による排水ソケットＣの接続状態を示す図である。
【図６】本発明の一実施形態による排水ソケットＤの接続状態を示す図である。
【図７】本発明の変形例による排水ソケットの屈曲管部材が第１接続状態であるときの（Ａ）前方斜視図、および（Ｂ）後方斜視図である。
【図８】本発明の変形例による排水ソケットの屈曲管部材が第２接続状態であるときの（Ａ）前方斜視図、および（Ｂ）後方斜視図である。
【発明を実施するための形態】
【００１８】
以下、本発明の実施の形態について添付図面を参照しながら説明する。なお、各図面中、同様の構成要素には同一の符号を付して詳細な説明は適宜省略する。
【００１９】
＜水洗大便器の構成＞
まず、図１及び図２により、本発明の一実施形態による排水ソケットが適用される水洗大便器について説明する。
図１は、本発明の一実施形態による排水ソケットが適用された水洗大便器を示す平面図である。図２は、図１のII−II線に沿って見た断面図である。
【００２０】
本発明の一実施形態による排水ソケット５０が適用された水洗大便器１は、床に設置された床下排水管１００に後述する排水トラップ管路が接続される床排水タイプの水洗大便器である。
図１及び図２に示すように、水洗大便器１は、便器本体２と、この便器本体２に洗浄水を供給する給水装置４を備えている。便器本体２は、表面に釉薬層が形成された陶器製であり、下部にスカート部７が形成され、上半分のうち前方にボウル部８が形成され、後方上部にはその上流端が給水装置４に連通する共通通水路１０が形成され、さらに、後方下部に汚物を排出するための排水路１２が形成されている。
【００２１】
上述した給水装置４は、洗浄水が貯水される貯水タンク５を備えている。なお。本発明は、貯水タンクを持たず水道から直接洗浄水が供給される直圧式水洗大便器や、フラッシュバルブにより洗浄水が供給されるタイプの水洗大便器等にも適用できる。
【００２２】
ボウル部８は、ボウル形状の汚物受け面１６と、上縁に位置するリム部１８と、汚物受け面１６の下方に形成された凹部２０と、を備えている。ここで、リム部１８の内周面２２は、図２等に示すように、ボウル部８の内側空間に露出し且つ内側空間に向かって上方に延びる形状、具体的に言えば、内側に向かってオーバーハングした形状に形成されている。
【００２３】
ボウル部８のリム部１８の内周面２２の前方から見て左側の中央部の少し後方側に、洗浄水を吐水する第１リム吐水口２４が形成され、前方から見て右側後方側に、第２リム吐水口２６が形成されている。これらの第１リム吐水口２４及び第２リム吐水口２６は、同一方向（図１では反時計回りの方向）に旋回し、旋回流を形成するようになっている。
【００２４】
また、上述した水洗大便器１の後方上部に形成された共通通水路１０は、便器前方に向かって、第１通水路２８及び第２通水路３０に分岐している。第１通水路２８は、第１リム吐水口２４に洗浄水を供給するためのものであり、第２通水路３０は、第２リム吐水口２６に洗浄水を供給するためのものである。
上述した水洗大便器１においては、第１リム吐水口２４、第１通水路２８及び第２リム吐水口２６、第２通水路３０は、陶器製の便器本体２と一体に形成されているが、本実施形態による水洗大便器は、この形態に限られず、第１リム吐水口、第１通水路及び第２リム吐水口、第２通水路を便器本体とは別体のディストリビユータ等により形成するようにしても良い。
【００２５】
排水路１２は、凹部２０の底面と接続しほぼ同一径（ほぼ同一断面形状）を有し且つ後方下方へ延びる導入管路３２と、この導水管路３２と接続し上方へ延びる排水トラップ管路３４と、を備えている。この導水管路３２は、入口３２ａを除く部分で、ほぼ同一径（ほぼ同一断面形状）を有し、管路内が同じ断面積となっている。また、排水トラップ管路３４は、上昇路３４ａと下降路３４ｂとから構成されている。
この導水管路３２は、凹部２０の底面と滑らかな連続湾曲面として繋がっており、凹部２０から導入管路３２に流入した洗浄水が導入管路３２内をスムーズに流れるようになっている。
【００２６】
便器本体２の排水路１２における下降路３４ｂの排出口３４ｃには、詳細は後述する排水ソケット５０が接続されている。また、この排水ソケット５０の下流側端部は、便器本体２が配置されている床Ｆの領域の下方に配置されて上下方向に延びる床下排水管１００の上端で開口している入口部１１０に接続されている。
なお、図２における排水ソケット５０は、後述する排水ソケット５０Ａを一例として図示している。
【００２７】
＜排水ソケットの構成＞
次に、図３〜６により、本発明の一実施形態による排水ソケットが適用される水洗大便器について説明する。
図３〜６は、本発明の一実施形態による排水ソケットＡ〜Ｄの接続状態を示す図である。
【００２８】
＜排水心３００ｍｍの場合＞
まず、図３では、排水心が３００ｍｍ（ここでいう「排水心」とは、トイレルームの後壁Ｗと床下排水管１００の入口部１１０の中心軸Ｙとの離間距離を指す）の現場に対応させた排水ソケット５０Ａの接続状態を示している。
【００２９】
図３に示すように、排水ソケット５０Ａは、便器本体２の排出口３４ｃに接続される便器側接続管部材６０と、この便器側接続管部材６０の出口部６３ｂと床下排水管１００の入口部１１０とを接続する床下側接続管部材７０と、を備えている。
【００３０】
便器側接続管部材６０は、便器本体２の排出口３４ｃに接続される入口部６１ａを有する下降管部材６１と、この下降管部材６１の出口部６１ｂに接続される入口部６３ａを有する屈曲管部材６３と、によって構成される。
下降管部材６１は、入口部６１ａから鉛直方向下方に延びて、その出口部６１ｂが斜め前方へ下方に向けて開口している。屈曲管部材６３は、その入口部６３ａが下降管部材６１の出口部６１ｂの内側に嵌り込むように接続されており、入口部６３ａから出口部６３ｂにかけて流路が屈曲するように形成されている。
【００３１】
屈曲管部材６３の屈曲角度は、好ましくは３０〜６０度であり、さらに好ましくは略４５度である。具体的に、この屈曲管部材６３の屈曲角度とは、入口部６３ａの中心軸Ｘ１と出口部６３ｂの中心軸Ｘ２との交わる角度αを指す。
【００３２】
図３に示す排水ソケット５０Ａの屈曲管部材６３は、その出口部６３ｂが水平方向に向けて開口した状態（第１接続状態）である。
図３に示す排水ソケット５０Ａの床下側接続管部材７０は、水平方向に向けて開口した屈曲管部材６３の出口部６３ｂに接続される横引管部材７１と、横引管部材７１の出口部７１ｂと床下排水管１００の入口部１１０とを接続する排出管部材７３と、を有する。
【００３３】
なお、横引管部材７１は、その入口部７１ａが屈曲管部材６３の出口部６３ｂの内側に嵌り込むように接続され、切断することによってその長さが調整可能である。つまり、横引管部材７１を切断して長さを調整することで、排水心が３００ｍｍ未満の現場にも対応させることができる。
排出管部材７３は、その入口部７３ａの内側に横引管部材７１の出口部７１ｂが嵌り込むように接続され、流路が略９０度屈曲して床下排水管１００の入口部１１０に出口部７３ｂが接続される。
【００３４】
＜排水心２００ｍｍの場合＞
次に、図４では、排水心が２００ｍｍの現場に対応させた排水ソケット５０Ｂの接続状態を示している。
【００３５】
図４に示すように、排水ソケット５０Ｂは、便器本体２の排出口３４ｃに接続される便器側接続管部材６０と、この便器側接続管部材６０の出口部６３ｂと床下排水管１００の入口部１１０とを接続する床下側接続管部材８０と、を備えている。
【００３６】
図４に示す便器側接続管部材６０は、図３に示すものと部材自体は共通のものであり、便器本体２の排出口３４ｃに接続される入口部６１ａを有する下降管部材６１と、この下降管部材６１の出口部６１ｂに接続される入口部６３ａを有する屈曲管部材６３と、によって構成される。
ただし、図４に示す排水ソケット５０Ｂの屈曲管部材６３は、図３に示す排水ソケットＡの屈曲管部材６３とは接続状態が異なり、その出口部６３ｂが鉛直方向下方に向けて開口した状態（第２接続状態）である。
【００３７】
排水ソケット５０Ｂの床下側接続管部材８０は、屈曲管部材の出口部６３ｂが接続される入口部８０ａから床下排水管１００の入口部１１０に接続される出口部８０ｂに向けて鉛直方向下方に延びている。
【００３８】
＜排水心２００ｍｍ未満の場合＞
次に、図５では、排水心が２００ｍｍ未満の現場に対応させた排水ソケット５０Ｃの接続状態を示している。
【００３９】
図５に示すように、排水ソケット５０Ｃは、排水ソケット５０Ｂと同じ部材によって構成されており、屈曲管部材６３の接続状態は、排水ソケット５０Ｂと同様にその出口部６３ｂが鉛直方向下方に向けて開口した第２接続状態である。
ただし、図５に示すように、排水ソケット５０Ｃ自体の接続状態は、排水ソケット５０Ｂに対して前後方向に反転した状態で接続されている。具体的には、下降管部材６１は、その出口部６１ｂが斜め後方へ下方に向けて開口した状態で接続されている。
【００４０】
＜排水心２５５ｍｍの場合＞
次に、図６では、排水心が２５５ｍｍの現場に対応させた排水ソケット５０Ｄの接続状態を示している。
【００４１】
図６に示すように、排水ソケット５０Ｄは、横引管部材７１を除いて排水ソケット５０Ａと同じ部材によって構成されており、屈曲管部材６３の接続状態は、排水ソケット５０Ａと同様にその出口部６３ｂが水平方向に向けて開口した第１接続状態である。
なお、屈曲管部材６３の出口部６３ｂには、排出管部材７３の入口部７３ａが接続されている。
【００４２】
上述したように、排水ソケットＡ〜Ｄにおいて、便器側接続管部材６０を全て同じ部材によって構成することが可能となっている。
【００４３】
＜作用効果＞
つぎに、上述した本発明の一実施形態による排水ソケット５０における作用効果について説明する。
【００４４】
まず、本発明の一実施形態による排水ソケット５０によれば、屈曲管部材６３は、排水ソケット５０Ａ，Ｄにおいては、その出口部６３ｂが水平方向に向けて開口した状態となる第１接続状態となるように下降管部材６１に接続可能であり、排水ソケット５０Ｂ，Ｃにおいては、その出口部６３ｂが鉛直方向下方に向けて開口した状態となる第２接続状態となるように下降管部材６１に接続可能である。これにより、対応可能な排水心がそれぞれ異なる排水ソケット５０Ａ〜Ｄにおいて、排水ソケットを構成する部材の一部である便器側接続管部材６０を共通化させることができる。
【００４５】
また、屈曲管部材６３は、その屈曲角度（角度α）が好ましくは３０〜６０度である。これにより、排水ソケット５０Ａ〜Ｄにおいて、屈曲角度（角度α）が３０〜６０度の屈曲管部材６３を共通化することができる。
【００４６】
また、床下側接続管部材７０は、屈曲管部材６３が第１接続状態であるとき、水平方向に向けて開口した屈曲管部材６３の出口部６３ｂに接続される横引管部材７１と、横引管部材７１の出口部７１ｂと床下排水管１００の入口部１１０とを接続する排出管部材７３と、を有し、横引管部材７１は、その入口部７１ａが屈曲管部材６３の出口部６３ｂの内側に嵌り込むように接続され、切断することによってその長さが調整可能である。これにより、横引管部材７１を切断して長さを調整することで、排水ソケットを様々な排水心の現場に対応させることができる。
【００４７】
上述した実施形態においては、複数の部材を接続して組み合わせることにより排水ソケット５０が構成されているため、各部材同士の接続部にガタつきが生じると排水ソケット５０の流入口および流出口に位置ずれが生じてしまうおそれがある。また、下降管部材の出口部６１ｂと屈曲管部材の入口部６３ａとは斜め方向に接続されているため、水洗大便器１の排出口３４ｃが排水ソケット５０に挿し込まれて排水ソケット５０に上方から強い荷重が掛かると、排水ソケット５０に破損が生じるおそれがある。
これに対し、図７，８に示す変形例の排水ソケット１５０においては、下降管部材１６１に第１リブ１６５および第２リブ１６７を設けている。
【００４８】
図７に示すように、屈曲管部材１６３が第１接続状態である排水ソケット１５０において、水洗大便器１の排出口３４ｃが下降管部材１６１の入口部１６１ａに挿し込まれる等して排水ソケット１５０に上方からの荷重がかかると、第１リブ１６５の切り欠き部１６５ａが床下側接続管部材１８０の上端に当接し、第２リブ１６７の切り欠き部１６７ａが屈曲管部材１６３の脚部１６３ｃの上端に当接する。これにより、上方からの荷重によって下降管部材の出口部１６１ｂと屈曲管部材の入口部１６３ａとの接続部にガタつきが生じてしまうことを抑制するとともに、接続部にかかる荷重を分散させることで排水ソケット１５０の破損が生じてしまうことを抑制することができる。
【００４９】
また、図８に示すように、屈曲管部材１６３が第２接続状態である排水ソケット１５０において、水洗大便器１の排出口３４ｃが下降管部材１６１の入口部１６１ａに挿し込まれる等して排水ソケット１５０に上方からの荷重がかかると、第２リブ１６７の下端が屈曲管部材１６３に当接し、第１リブ１６５の下端が屈曲管部材１６３の脚部１６３ｃに当接する。これにより、上方からの荷重によって下降管部材の出口部１６１ｂと屈曲管部材の入口部１６３ａとの接続部にガタつきが生じてしまうことを抑制するとともに、接続部にかかる荷重を分散させることで排水ソケット１５０の破損が生じてしまうことを抑制することができる。
つまり、下降管部材１６１に第１リブ１６５および第２リブ１６７を設けることで、屈曲管部材１６３が第１接続状態もしくは第２接続状態のどちらであったとしても、接続部にガタつきが生じてしまうことを抑制するとともに、排水ソケット１５０の破損が生じてしまうことを抑制することができる。
【００５０】
前述した各実施の形態が備える各要素は、技術的に可能な限りにおいて組み合わせることができ、これらを組み合わせたものも本発明の特徴を含む限り本発明の範囲に包含される。
【符号の説明】
【００５１】
１        水洗大便器
２        便器本体
４        給水装置
５        貯水タンク
７        スカート部
８        ボウル部
１０      共通通水路
１２      排水路
１６      汚物受け面
１８      リム部
２０      凹部
２２      リム部の内周面
２４      第１リム吐水口
２６      第２リム吐水口
２８      第１通水路
３０      第２通水路
３２      導入管路
３２ａ    導入管路の入口部
３４      排水トラップ管路
３４ａ    上昇路
３４ｂ    下降路
３４ｃ    排出口
５０      排水ソケット
５０Ａ    排水ソケット
５０Ｂ    排水ソケット
５０Ｃ    排水ソケット
５０Ｄ    排水ソケット
６０      便器側接続管部材
６１      下降管部材
６１ａ    下降管部材の入口部
６１ｂ    下降管部材の出口部
６３      屈曲管部材
６３ａ    屈曲管部材の入口部
６３ｂ    屈曲管部材の出口部
７０      床下側接続管部材
７１      横引管部材
７１ａ    横引管部材の入口部
７１ｂ    横引管部材の出口部
７３      排出管部材
７３ａ    排出管部材の入口部
７３ｂ    排出管部材の出口部
８０      床下側接続管部材
８０ａ    床下側接続管部材の入口部
８０ｂ    床下側接続管部材の出口部
１００    床下排水管
１１０    床下排水管の入口部
１５０    排水ソケット
１６１    下降管部材
１６３    屈曲管部材
１６３ｃ  屈曲管部材の脚部
１６５    第１リブ
１６５ａ  第１リブの切り欠き部
１６７    第２リブ
１６７ａ  第２リブの切り欠き部
１７０    床下側接続管部材
１８０    床下側接続管部材
Ｆ        床
Ｗ        トイレルームの後壁
Ｘ１      屈曲管部材の入口部の中心軸
Ｘ２      屈曲管部材の出口部の中心軸
【図１】
2019049184.tif 000003
【図２】
2019049184.tif 000004
【図３】
2019049184.tif 000005
【図４】
2019049184.tif 000006
【図５】
2019049184.tif 000007
【図６】
2019049184.tif 000008
【図７】
2019049184.tif 000009
【図８】
2019049184.tif 000010